(57)【要約】【課題】  ディスクドライブ用拡張装置の提供。【解決手段】  隣り合うディスクドライブ拡張装置とコンピュータケースと接続され、該ディスクドライブ用拡張装置に中空長方形のケースが設けられ、該ケースの上面に上向きに左右対称のスライド部が延設され、該スライド部の前方及び後方に高度がスライド部高度以上の押さえ部が設けられ、別に該ケースの底面にスライド部と対応する案内部が設けられ、該案内部が隣り合うディスクドライブ用拡張装置のスライド部とスライド式に接続され、これにより、該ディスクドライブ用拡張装置のスライド部をコンピュータケース内或いは別の相互に対応するディスクドライブ用拡張装置にスライド式に位置決めすることで、簡単、迅速、安定したディスクドライブの拡張が達成できる。【選択図】        図２
0003102081.tif 000002
【実用新案登録請求の範囲】
【請求項１】
隣り合うディスクドライブ用拡張装置或いはコンピュータケースとの接続に用いられるディスクドライブ用拡張装置であり、ケースを具え、該ケースの上面にスライド部が設けられ、該スライド部の前方或いは後方に少なくとも一つの押さえ部が設けられ、別に該ケースの底面にスライド部と相互に対応する案内部が設けられ、該案内部が隣り合うディスクドライブ用拡張装置のスライド部との接続に供されることを特徴とする、ディスクドライブ用拡張装置。
【請求項２】
請求項１記載のディスクドライブ用拡張装置において、ディスクドライブ用拡張装置のケースが中空長方形形態とされたことを特徴とする、ディスクドライブ用拡張装置。
【請求項３】
請求項１記載のディスクドライブ用拡張装置において、ケースの上面のスライド部が左右対称状とされたことを特徴とする、ディスクドライブ用拡張装置。
【請求項４】
請求項１記載のディスクドライブ用拡張装置において、スライド部がケースの上板とコ字形態を形成することを特徴とする、ディスクドライブ用拡張装置。
【請求項５】
請求項４記載のディスクドライブ用拡張装置において、スライド部の開口が内側或いは外側に向いたことを特徴とする、ディスクドライブ用拡張装置。
【請求項６】
請求項１記載のディスクドライブ用拡張装置において、スライド部の上面がフックと円弧片で構成され、該円弧片がディスクドライブ用拡張装置の前進方向を案内し、別に案内部に係止溝が形成され、該係止溝が隣り合うディスクドライブ用拡張装置のフックとスライド式に接続され得ることを特徴とする、ディスクドライブ用拡張装置。
【請求項７】
請求項６記載のディスクドライブ用拡張装置において、案内部の係止溝が内側或いは外側に向けられたことを特徴とする、ディスクドライブ用拡張装置。
【請求項８】
請求項１記載のディスクドライブ用拡張装置において、押さえ部の高さがスライド部の高さに等しいか或いはそれよりやや大きいことを特徴とする、ディスクドライブ用拡張装置。
【請求項９】
請求項１記載のディスクドライブ用拡張装置において、押さえ部前端が傾斜状の斜面とされ、且つその後端が水平状の押さえ面とされたことを特徴とする、ディスクドライブ用拡張装置。
【請求項１０】
請求項１記載のディスクドライブ用拡張装置において、コンピュータケース内部に平板が設けられ、該平板にディスクドライブ用拡張装置のスライド部に対応する案内溝が設けられ、該案内溝がディスクドライブ用拡張装置のスライド部とスライド式に位置決めされることを特徴とする、ディスクドライブ用拡張装置。
【考案の詳細な説明】
【技術分野】
【０００１】
本考案は一種のディスクドライブ用拡張装置に係り、コンピュータのケースに用いられる拡充装置であり、スライド式にコンピュータケースの内部に結合されて、ディスクドライブの検査修理、交換、或いは拡充の便利性を提供する、ディスクドライブ用拡張装置に関する。
【背景技術】
【０００２】
科学技術の進歩により、コンピュータ関係領域の設計と部品も日々進歩し、特にメモリ及びディスクドライブ等のアクセス装置の容量の増加はめざましく、人々の作業効率アップに役立っている。しかし、オーディオビデオマルチメディア及び３Ｄ立体動画が流行するなか、有限なアクセス空間が大量に占拠されるようになると、もともと配備されているアクセス容量では不足が生じるためにディスクドライブ用拡張装置が提供されている。
【０００３】
周知のディスクドライブ用拡張装置は、図１に示されるように、拡張装置１０ａが中空のケース１１ａを具え、該ケース１１ａの上面に複数のフック１２ａが設けられ、これらフック１２ａが上板と開口が前向きのコ字形態を形成し、別に該ケース１１ａの底面に該フック１２ａと相互に対応する凹溝１３ａが設けられ、これら凹溝１３ａが隣り合う拡張装置１０ａのフック１２ａと係合されて、ディスクドライブ用拡張装置を形成している。
【０００４】
しかし、周知のディスクドライブ用拡張装置は、基本的に以下のような不足の部分を有している。
【０００５】
その一つは、拡張装置１０ａがスライドレールの案内作用を具備せず、二つのディスクドライブ用拡張装置を相互に移動させ組み合わせる時、フック１２ａと凹溝１３ａを正確に位置合わせして組み合わせるのが難しく、且つ該フック１２ａの直立面の幅が小さ過ぎ、自身の構造強度が不足するため、数回取り外したり組み合わせたりすると、湾曲変形を極めて発生しやすいことである。
【０００６】
二つ目は、これらフック１２ａと凹溝１３ａの組立を容易とするため、及び製造時に形成される加工誤差を考慮して、組立のために比較的大きなギャップ量が保留されるが、このため両者の間の組合せギャップが過大となり、大幅に組合せ後の安定度が低下した。
以上から分かるように、周知のディスクドライブ用拡張装置は、実際の使用上、拡充性の機能を具備するとはいえ、明らかに不便と問題点の存在があり、改善が求められている。
【考案の開示】
【考案が解決しようとする課題】
【０００７】
本考案は、上述の従来の技術の問題点を鑑み、それを改善するためになされたものである。
【０００８】
本考案の主要な目的は、一種のディスクドライブ用拡張装置を提供することにあり、それは、拡張装置の上面のスライド部を正確にコンピュータケース内或いは別の相互に対応する拡張装置に固定でき、簡便、迅速、安定したディスクドライブの拡張設置を達成するものとする。
【０００９】
本考案のもう一つの目的は、一種のディスクドライブ用拡張装置を提供することにあり、それは、コンピュータのアクセス装置を先に拡張装置に取り付けて固定し、更にスライド式にコンピュータケース内に接続し、ディスクドライブの検査、修理、交換或いは拡張の便利性を増すことができるものとする。
【課題を解決するための手段】
【００１０】
請求項１の考案は、隣り合うディスクドライブ用拡張装置或いはコンピュータケースとの接続に用いられるディスクドライブ用拡張装置であり、ケースを具え、該ケースの上面にスライド部が設けられ、該スライド部の前方或いは後方に少なくとも一つの押さえ部が設けられ、別に該ケースの底面にスライド部と相互に対応する案内部が設けられ、該案内部が隣り合うディスクドライブ用拡張装置のスライド部との接続に供されることを特徴とする、ディスクドライブ用拡張装置としている。
請求項２の考案は、請求項１記載のディスクドライブ用拡張装置において、ディスクドライブ用拡張装置のケースが中空長方形形態とされたことを特徴とする、ディスクドライブ用拡張装置としている。
請求項３の考案は、請求項１記載のディスクドライブ用拡張装置において、ケースの上面のスライド部が左右対称状とされたことを特徴とする、ディスクドライブ用拡張装置としている。
請求項４の考案は、請求項１記載のディスクドライブ用拡張装置において、スライド部がケースの上板とコ字形態を形成することを特徴とする、ディスクドライブ用拡張装置としている。
請求項５の考案は、請求項４記載のディスクドライブ用拡張装置において、スライド部の開口が内側或いは外側に向いたことを特徴とする、ディスクドライブ用拡張装置としている。
請求項６の考案は、請求項１記載のディスクドライブ用拡張装置において、スライド部の上面がフックと円弧片で構成され、該円弧片がディスクドライブ用拡張装置の前進方向を案内し、別に案内部に係止溝が形成され、該係止溝が隣り合うディスクドライブ用拡張装置のフックとスライド式に接続され得ることを特徴とする、ディスクドライブ用拡張装置としている。
請求項７の考案は、請求項６記載のディスクドライブ用拡張装置において、案内部の係止溝が内側或いは外側に向けられたことを特徴とする、ディスクドライブ用拡張装置としている。
請求項８の考案は、請求項１記載のディスクドライブ用拡張装置において、押さえ部の高さがスライド部の高さに等しいか或いはそれよりやや大きいことを特徴とする、ディスクドライブ用拡張装置としている。
請求項９の考案は、請求項１記載のディスクドライブ用拡張装置において、押さえ部前端が傾斜状の斜面とされ、且つその後端が水平状の押さえ面とされたことを特徴とする、ディスクドライブ用拡張装置としている。
請求項１０の考案は、請求項１記載のディスクドライブ用拡張装置において、コンピュータケース内部に平板が設けられ、該平板にディスクドライブ用拡張装置のスライド部に対応する案内溝が設けられ、該案内溝がディスクドライブ用拡張装置のスライド部とスライド式に位置決めされることを特徴とする、ディスクドライブ用拡張装置としている。
【考案の効果】
【００１１】
本考案のディスクドライブ用拡張装置は少なくとも以下のような優れた点を有している。
１．本考案のスライド部と案内部の緊密な組合せにより、アクセス装置のディスクドライブをディスクドライブ用拡張装置に取り付けて、ディスクドライブの検査修理、交換、或いは拡張機能に供することができる。
２．本考案のスライド部の円弧片は比較的幅広の入口端を具え、簡単にディスクドライブ用拡張装置をコンピュータケースの案内溝中に進入させられ、簡便、迅速なディスクドライブの取り付けが行なえる。
３．本考案の押さえ部の設計により、押さえ部の斜面がディスクドライブ用拡張装置の押動進入を容易とし、且つ押さえ面がコンピュータケースの平板或いはもう一つのディスクドライブ用拡張装置の底板上に圧接されて、緊密で安定した組合せ構造を形成する。
【００１２】
総合すると、本考案のディスクドライブ用拡張装置は、産業上の利用価値、新規性及び進歩性を具備し、本考案の構造はその出願前に公開、使用されておらず、実用新案登録の要件を具備している。
【００１３】
なお、本考案に基づきなしうる細部の修飾或いは改変は、いずれも本考案の請求範囲に属するものとする。
【考案を実施するための最良の形態】
【００１４】
本考案のディスクドライブ用拡張装置は、隣り合うディスクドライブ用拡張装置或いはコンピュータケースとの固定、接続に用いられ、該ディスクドライブ用拡張装置は中空長方形のケースを具え、該ケースの上面に、上向きに左右対称のスライド部が延設され、該スライド部の前方及び後方に高度がスライド部高度以上の押さえ部が設けられ、別に該ケースの底面にスライド部と対応する案内部が設けられ、該案内部が隣り合うディスクドライブ用拡張装置のスライド部とスライド式に接続され、これにより、該ディスクドライブ用拡張装置のスライド部をコンピュータケース内或いは別の相互に対応するディスクドライブ用拡張装置にスライド式に位置決めすることで、簡単、迅速、安定したディスクドライブの拡張が達成できる。
【実施例１】
【００１５】
図２、３は本考案の斜視図、別角度からの斜視図である。本考案はディスクドライブ用拡張装置を提供し、この拡張装置１０は、高さ１．６インチ幅５．２５インチ或いは高さ１インチ幅３．５インチのディスクドライブを取り付けるのに供され、且つそれは中空長方形のケース１１を具え、該ケース１１の上面に、上向きに左右対称のスライド部１２が延設され、該スライド部１２とケース１の上板がコ字形態を形成し、その開口端が内側或いは外側に向けられ、本実施例では内側に向けられている。該スライド部１２の上部はフック１２１と外向きに延伸された円弧片１２２が設けられてなる。別に該スライド部１２の前方及び後方に、高度がスライド部１２高度以上の押さえ部１３が設けられ、該押さえ部１３の前端は上向きに傾斜する斜面１３１とされ、且つその後端が水平状の押さえ面１３２とされている。さらに、該ケース１１の底面に、スライド部１２と相互に対応する案内部１４が設けられ、該案内部１４とケース１１の底板の間に係止溝１４１が形成され、該係止溝１４１が外側或いは内側に向いた形態とされ、本実施例では外側に向いている。また、ケース１１の左右両側板に複数の穿孔１５が設けられている。
【００１６】
図４は本考案とコンピュータケースの分解斜視図である。コンピュータケース２０内部には平板２１が取り付けられ、該平板２１のコンピュータケース２０面に、ディスクドライブ用拡張装置１０の案内部１４と近似の案内溝２２が設けられ、該案内溝２２にディスクドライブ用拡張装置１０のスライド部１２をスライド式に位置決めでき、ディスクドライブ（図示せず）をディスクドライブ用拡張装置１０の内部に挿入でき、並びにネジ等の固定部品をディスクドライブ用拡張装置１０の穿孔１５中に挿入してディスクドライブを固定できる。組立時にはディスクドライブ用拡張装置１０の後端をやや下向きに傾斜させて、押さえ面１３２の斜面１３１を水平状に近くして前向きに押し込めば、コンピュータケース２０の案内溝２２中に進入させられ、並びに該押さえ部１３の押さえ面１３２をコンピュータケース２０の平板２１の上に圧接させ、これにより緊密で安定したディスクドライブ用拡張装置組立形態を形成できる。
【００１７】
図５、６は本考案ともう一つのディスクドライブ用拡張装置の分解斜視図及び組合せ側面図である。同時に複数のディスクドライブ用拡張装置１０を拡張する必要がある時は、同じ規格のディスクドライブ用拡張装置１０を相互にスライド式に接続した後に、コンピュータケース２０内部の平板２１の上に取り付けることができる。そのうち、ディスクドライブ用拡張装置１０の案内部１４は隣り合うもう一つのディスクドライブ用拡張装置１０のスライド部１２にスライド式に組み合わされ、該スライド部１２のフック１２１が案内部１４の係止溝１４１内に収容され、並びに押さえ部１３の押さえ面１３２がディスクドライブ用拡張装置１０の底板の上に圧接される。
【図面の簡単な説明】
【００１８】
【図１】周知のディスクドライブ用拡張装置の斜視図である。
【図２】本考案の斜視図である。
【図３】本考案の別角度からの斜視図である。
【図４】本考案とコンピュータケースの分解斜視図である。
【図５】本考案ともう一つのディスクドライブ用拡張装置の分解斜視図である。
【図６】本考案ともう一つのディスクドライブ用拡張装置の組合せ側面図である。
【符号の説明】
【００１９】
１０ａ  拡張装置
１１ａ  ケース              １２ａ  フック
１３ａ  凹溝
１０  ディスクドライブ用拡張装置
１１  ケース                １２  スライド部
１２１  フック              １２２  円弧片
１３  押さえ部              １３１  斜面
１３２  押さえ面            １４  案内部
１４１  係止溝              １５  穿孔
２０  コンピュータケース
２１  平板                  ２２  案内溝
【図１】
0003102081.tif 000003
【図２】
0003102081.tif 000004
【図３】
0003102081.tif 000005
【図４】
0003102081.tif 000006
【図５】
0003102081.tif 000007
【図６】
0003102081.tif 000008